(57)【要約】【課題】  本発明の課題は、自動車のドアミラー周辺をできるだけ洗い残しなくブラッシングできないか、という点にある。【解決手段】  自動車と洗車機本体１の相対移動に伴い側面ブラシ４・４が自動車のドアミラー近傍に達したとき、側面ブラシ４・４を傾斜姿勢にしてドアミラー上方及び下方の車体面をブラッシングするため、洗浄する自動車の形状を検出する車形検出部４３と、車形検出部４３で検出した自動車の形状から自動車のドアミラー位置ＤＭ-ｓ，ＤＭ-ｅを検出するドアミラー位置設定部４５と、車形検出部４３で検出した自動車の形状から側面ブラシ４・４を制御する制御点Ｌｄ１〜Ｌｄ３を設定する基準点設定部４４と、基準点設定部４４で検出した制御点Ｌｄ１〜Ｌｄ３で側面ブラシ４・４を傾倒・保持する制御部４６とを備えた。【選択図】図８
2006015858.tif 000002
【特許請求の範囲】
【請求項１】
自動車と洗車機本体の相対移動に伴い、自動車の前後面及び側面をブラッシング洗浄する左右一対の側面ブラシを備えた洗車機において、
相対移動に伴い前記側面ブラシが自動車のドアミラー近傍に達したとき、側面ブラシを傾斜姿勢にしてドアミラー上方及び下方の車体面をブラッシングすることを特徴とする洗車方法。
【請求項２】
自動車と洗車機本体の相対移動に伴い、自動車の前後面及び側面をブラッシング洗浄する左右一対の側面ブラシを備えた洗車機において、
前記側面ブラシを開閉する開閉手段と、前記側面ブラシを前後方向に傾倒する傾倒手段と、該傾倒手段による傾倒姿勢を保持する保持手段と、洗浄する自動車の形状を検出する車形検出手段と、該車形検出手段で検出した自動車の形状から自動車のドアミラーを検出するドアミラー検出手段と、前記車形検出手段で検出した自動車の形状から前記傾倒手段及び保持手段を制御する制御点を設定する基準点設定手段と、該基準点設定手段で検出した制御点で前記傾倒手段及び保持手段を制御する制御手段とを備え、ドアミラー上下の車体を前記側面ブラシでブラッシングするようにしたことを特徴とする洗車機。
【請求項３】
上記請求項２記載の洗車機において、前記制御手段は、相対移動に伴い前記側面ブラシがドアミラー前方の制御点に到達すると、前記傾倒手段で側面ブラシの下側を進行方向と逆に傾斜させた姿勢にし前記保持手段でこの姿勢を保持したまま自動車のドアミラーの上部をブラッシングすることを特徴とする洗車機。
【請求項４】
上記請求項２記載の洗車機において、前記制御手段は、相対移動に伴い前記側面ブラシがドアミラー後方の制御点に到達すると、前記傾倒手段で側面ブラシの下側を進行方向と逆に傾斜させた姿勢にし前記保持手段でこの姿勢を保持したまま自動車のドアミラーの下部をブラッシングすることを特徴とする洗車機。
【請求項５】
上記請求項２記載の洗車機において、前記制御手段は、相対移動に伴い前記側面ブラシがドアミラー前方の制御点に到達すると、前記傾倒手段で側面ブラシの下側を進行方向と逆に傾斜させた姿勢にし前記保持手段でこの姿勢を保持したまま自動車のドアミラーの上部をブラッシングした後、前記開閉手段で回避動作を与え、相対移動に伴い前記側面ブラシがドアミラー前方の制御点とドアミラー後方の制御点との間に設定した制御点に到達すると、前記傾倒手段で側面ブラシの下側を進行方向に傾斜させた姿勢にし前記保持手段でこの姿勢を保持したまま自動車のドアミラーの上部をブラッシングするとともに、相対移動に伴い前記側面ブラシがドアミラー後方の制御点に到達すると、前記傾倒手段で側面ブラシの下側を進行方向と逆に傾斜させた姿勢にし前記保持手段でこの姿勢を保持したまま自動車のドアミラーの下部をブラッシングすることを特徴とする洗車機。
【発明の詳細な説明】
【技術分野】
【０００１】
本発明は、自動車を跨ぐように門型に形成された洗車機本体を往復走行させて自動車の車体を洗浄するタイプの洗車機に関し、特に自動車の前後面及び側面をブラッシングする側面ブラシを備え、該側面ブラシによりドアミラー周りのブラッシングを行う洗車方法及び洗車機である。
【背景技術】
【０００２】
従来から知られているこの種の洗車機として、特開平８−７２６７９号が知られている。この洗車機では、自動車の側面を洗浄する側面ブラシにより車体側面より突出したドアミラーを引っ掛けて破損する危険を避けるために、車形検出装置によりドアミラーを検出し、その周囲に図１１に示すようなブラシ逃がし位置Ｓ１及びブラシ戻し位置Ｓ２を設定して側面ブラシに回避動作を与えるように構成している。
【０００３】
しかしながら、このような洗車機における側面ブラシの動作では、ブラシ逃がし位置Ｓ１からブラシ戻し位置Ｓ２までのドアミラーの周囲が全くブラッシングされずに、そのまま洗い残しとなってしまう問題があった。
【特許文献１】特開平８−７２６７９号
【発明の開示】
【発明が解決しようとする課題】
【０００４】
そこで、本発明の課題は、自動車のドアミラー周辺をできるだけ洗い残しなくブラッシングできないか、という点にある。
【課題を解決するための手段】
【０００５】
このような課題を解決するために本発明は、自動車と洗車機本体の相対移動に伴い側面ブラシが自動車のドアミラー近傍に達したとき、側面ブラシを傾斜姿勢にしてドアミラー上方及び下方の車体面をブラッシングするようにしたものである。
【０００６】
また、自動車と洗車機本体の相対移動に伴い、自動車の前後面及び側面をブラッシング洗浄する左右一対の側面ブラシを備えた洗車機において、前記側面ブラシを開閉する開閉手段と、前記側面ブラシを前後方向に傾倒する傾倒手段と、該傾倒手段による傾倒姿勢を保持する保持手段と、洗浄する自動車の形状を検出する車形検出手段と、該車形検出手段で検出した自動車の形状から自動車のドアミラーを検出するドアミラー検出手段と、前記車形検出手段で検出した自動車の形状から前記傾倒手段及び保持手段を制御する制御点を設定する基準点設定手段と、該基準点設定手段で検出した制御点で前記傾倒手段及び保持手段を制御する制御手段とを備え、ドアミラー上下の車体を前記側面ブラシでブラッシングするようにしたものである。
【０００７】
具体的には、前記制御手段は、相対移動に伴い前記側面ブラシがドアミラー前方の制御点に到達すると、前記傾倒手段で側面ブラシの下側を進行方向に傾斜させた姿勢にし前記保持手段でこの姿勢を保持したまま自動車のドアミラーの下部をブラッシングする。また、前記制御手段は、相対移動に伴い前記側面ブラシがドアミラー後方の制御点に到達すると、前記傾倒手段で側面ブラシの下側を進行方向と逆に傾斜させた姿勢にし前記保持手段でこの姿勢を保持したまま自動車のドアミラーの下部をブラッシングする。更に、前記制御手段は、相対移動に伴い前記側面ブラシがドアミラー前方の制御点に到達すると、前記傾倒手段で側面ブラシの下側を進行方向に傾斜させた姿勢にし前記保持手段でこの姿勢を保持したまま自動車のドアミラーの下部をブラッシングした後、前記開閉手段で回避動作を与え、相対移動に伴い前記側面ブラシがドアミラー前方の制御点とドアミラー後方の制御点との間に設定した制御点に到達すると、前記傾倒手段で側面ブラシの下側を進行方向に傾斜させた姿勢にし前記保持手段でこの姿勢を保持したまま自動車のドアミラーの上部をブラッシングするとともに、相対移動に伴い前記側面ブラシがドアミラー後方の制御点に到達すると、前記傾倒手段で側面ブラシの下側を進行方向と逆に傾斜させた姿勢にし前記保持手段でこの姿勢を保持したまま自動車のドアミラーの下部をブラッシングする。
【発明の効果】
【０００８】
本発明の洗車機によれば、ドアミラーが装備される自動車側面の上部及び下部がブラッシングされ、洗い残しの少ない洗浄が可能になる。
【発明を実施するための最良の形態】
【０００９】
洗車処理装置として、少なくとも左右一対の側面ブラシを備えた以下の実施例に示す門型洗車機。
【実施例１】
【００１０】
以下、本発明の実施例１について図面を基に説明する。図１は実施例１の正面説明図、図２は同平面説明図である。
洗車機本体１は左右一対のレール２，２上を往復走行し、レール２，２間に停車される自動車を跨ぐように移動する。３・４・４は洗車機本体１に設けられる洗車処理装置としての回転ブラシで、３は車体面に沿って昇降動作し主に車体上面を洗浄する上面ブラシ、４・４は車体面に沿って開閉動作し車体の側面および前後面を洗浄する左右一対の側面ブラシである。５・６・６は洗車機本体１に設けられ洗浄後の車体の乾燥をはかる洗車処理装置としてのブロワノズルで、５は車体面に沿って昇降動作する上面ブロワノズル、６・６は車体面に沿って出没動作する左右一対の側面ブロワノズルである。８は洗車機本体１のブラシ３・４・４よりも前方に位置して設けられ本体１の走行に伴い自動車の側方から見た形状を読み取る車形検出装置、９は洗車機本体１が単位距離走行する毎にパルス出力するエンコーダ、１０，１０は本体１を走行させるモータである。
【００１１】
車形検出装置８は、洗車機本体１の前側方に自動車を幅方向に挾むようにして、上下に複数の発光素子を配列した発光ユニット８Ａと、上下に複数の受光素子を配列した受光ユニット８Ｂを対向させ、発・受光素子間で授受される光信号が自動車Ａの車体によって遮られたのを検知して車両検出するもので、本体１の走行に伴いロータリーエンコーダ９からパルス出力される毎に、発光ユニット８Ａの発光素子を上から順に発光させ、これと同期して受光ユニット８Ｂの発光素子と対向した受光素子での受光レベルを順に取得していく。
【００１２】
洗車する自動車を、洗車機本体１の前方より自動車を進入させ、本体１手前で停車させ、この状態で洗車機本体を往復走行させて洗車を行う。例えば１往復で洗車する場合は、まず洗車機本体１を前方へ往行走行させ、車形検出装置８で読み取った車体形状に合わせてブラシ３・４・４を制御し車体面のブラッシング洗浄を行い、続いて洗車機を復行走行させブロワノズル５，６，６から車体に空気を吹き付けて車体面の乾燥をはかる。もちろん、この１往復の洗車以外にも洗車機を２往復・３往復させて様々なニーズに応じた洗車動作をさせることができる。尚、各ブロワノズル５，６，６を各ブラシ３，４，４よりも後方に配置し、ブラシとの間に車体上面に沿って昇降するシャッターを設けて隔離することで、片道単位での洗車も可能となる。
【００１３】
図３〜５は側面ブラシ４の構造を示す説明図であり、図３は平面から見た状態、図４は正面から見た状態、図５は側面から見た状態を示している。
左右一対の側面ブラシ４・４は、それぞれ本体１内の後方上部に左右に渡って水平に横架されたガイドレール１２に挟持するキャリア１３と、該キャリア１３から吊下される回転軸１４と、該回転軸１４の周囲に植毛される布製又は樹脂製のブラシ体１５とから構成され、開閉装置１６を介してガイドレール１２上を走行し左右別々に開閉可能にされるとともに、左右揺動装置１７及び前後揺動装置１８を介して左右方向及び前後方向に揺動自在にされる。キャリア１３には、正逆可能な回転モータ１９が取り付けられており、プーリ、ベルト等からなる連係装置２０を介して回転軸１４と連係され、ブラシを正転・逆転させる。
【００１４】
開閉装置１６は、側面ブラシ４を左右別々に開閉するものであり、図３に示すように、ブラシ開閉用の走行モータ２１と、一端がキャリア１３に接続され、他端がスプロケット２２を介して開閉モータ２１の駆動軸に懸架されたチェーン２３と、モータの駆動軸先端に接続されるブラシ走行位置検出用のエンコーダ２４とから構成される。
【００１５】
左右揺動装置１７は、側面ブラシ４を垂直位置から下方が外側に開く位置まで揺動させるもので、図４に示すように、キャリア１３の上面において回転軸１４の上端を連結固定する支持板２５と、該支持板２５を一方向に揺動支持する支軸２６と、支持板２５が所定量θ１傾いた位置でスイッチングする第１近接スイッチ２７と、支持板２５が所定量θ２（＞θ１）傾いた位置でスイッチングする第２近接スイッチ２８とから構成される。
【００１６】
自動車の側面洗浄は、側面ブラシ４を車体に押し付け、左右にそれぞれ所定量θ１傾いた状態で行われる。車体変化により、この傾きは変化していくが、第１近接スイッチ２７でブラシの揺動角が所定量θ１より小さくなったことが検出されると、開閉装置１６によりブラシを車体に接近させるようにし、第２近接スイッチ２８でブラシの揺動角が所定量θ２になったことが検出されると開閉装置１６を駆動してブラシを車体から離させるようにして、ブラシの揺動角θが常にθ１＜θ＜θ２の範囲で保たれる。
【００１７】
前後揺動手段１８は、側面ブラシ４が垂直姿勢から、下側が洗車機本体１の前方に所定量θ３傾く姿勢（後傾姿勢）、下側が洗車機本体１の後方に所定量θ３傾く姿勢（前傾姿勢）までの範囲でガイドレール１２を揺動させるもので、図５に示すように、ガイドレール１２に連結するアーム２９と、該アーム２９の上端に連結されてアームの前方で伸縮する第１シリンダ３０と、アームの後方で伸縮する第２シリンダ３１と、第１シリンダ３０のロッド先端をスライド支持するスライド板３２と、第２シリンダ３１のロッド先端を本体に固定する固定軸３３と、一端がスライド板３２に連結され、他端がアーム２９を貫通して自由端となるワイヤ３４と、該ワイヤ３４のスライド板３２とアーム２９間に設けられる第１スプリング３５と、アーム２９と自由端間に設けられる第２スプリング３６とから構成される。ガイドレール１２の先端には、スイッチ板３７が設けられ、このスイッチ板３７が所定量θ３後傾した位置でスイッチングする第１近接スイッチ３８と、スイッチ板３７が所定量θ３前傾した位置でスイッチングする第２近接スイッチ３９とに接触することで、ブラシの傾斜位置が把握される。
【００１８】
自動車の前面及び後面洗浄を、ブラシ４を所定量θ３前傾又は後傾させて行う場合、近接スイッチ３８，３９でブラシの傾斜角が所定量θ３になったことを検出するまで前後揺動手段１８を駆動する。ブラシ４は、第１シリンダ３０が伸び、第２シリンダ３１が縮んだ状態で垂直姿勢となり、第１シリンダ３０，第２シリンダ３１が伸びた状態で後傾姿勢、第１シリンダ３０，第２シリンダ３１が縮んだ状態で前傾姿勢となる。
【００１９】
図６は実施例の制御系を説明するブロック図である。
４０は洗車制御部で、車形検出装置８・ロータリーエンコーダ９から得られる信号に基づき自動車の各種データを検出し、この各種データにより洗車駆動部４１を介してブラシ，ブロワノズル等の洗車処理装置を作動させる。４２は操作部で、洗車内容の選択や洗車の開始入力を行う他、操作する人に対し表示や音声で注意事項や操作手順等を案内出力するものである。操作部４２は、通常は洗車機本体１前面に設けられるが、運転者が乗車したままドライブスルー形式で洗車を行う場合等には、操作部４２を本体１と別体とし洗車エリアの入口に設置されることになる。
【００２０】
洗車制御部４０は、車形検出部４３，基準点設定部４４，ドアミラー位置設定部４５，データ記憶部４６，制御部４７を備えている。
車形検出部４３は、本体１が単位距離走行する毎にロータリーエンコーダ９から発信されるパルス信号をカウントして得られる本体１の走行位置と、ロータリーエンコーダ９から発信されるパルス信号をトリガに車形検出装置８で取り込まれる車形データとをテーブル化し、側方から見た車体の輪郭を検出する。基準点設定部４４は、車形検出部４３で検出した車体輪郭から車体の特徴点（車体前端・ボンネットとフロントガラスの境界・ルーフ前端・ルーフ後端・車体後端）を認識し、各洗車処理装置の制御に必要な各基準点を設定する。ドアミラー位置設定部４５は、車形検出部４３で検出した車体輪郭からドアミラー位置を推定するものである。データ記憶部４６は、車形検出部４３で検出される車体輪郭データ、基準点設定部４４で設定される基準点、ドアミラー位置設定部４５で検出されるドアミラー位置を記憶する。制御部４７は、データ記憶部４６に記憶された各種データに基づいて洗車処理装置を制御するものである。
【００２１】
続いて、本発明の洗車動作について説明する。
洗車制御部４０では、車形検出装置８で自動車の形状を読み取る車形検出工程と、読み取った車体形状に合わせてブラシ３・４・４を制御し車体面をブラッシングするブラシ工程と、洗車機を走行させ車体形状に合わせてブロワノズル５，６，６を制御し車体に空気を吹き付ける乾燥工程とを、洗車内容に応じて組み合わせて実行する。尚、車形検出工程は、本体１の第１往行時にブラシ工程と同時進行させてもよい。
【００２２】
車形検出工程では、車形検出部４３で洗車する自動車の車形輪郭を検出してこの車形データを基に、ドアミラー位置設定部４５でドアミラー位置ＤＭ-ｓ，ＤＭ-ｅを推定し、基準点設定部４４で車体の特徴点と側面ブラシ４・４のドアミラー周辺でのブラッシングに必要な制御点Ｌｄ１，Ｌｄ２，Ｌｄ３を設定する。
【００２３】
洗車する自動車が普通車の場合、図７（ａ）に示すように、車形検出部４３で検出した車体輪郭から、車体のボンネットとフロントガラスの境界点ｂｆを抽出し、抽出した境界点ｂｆ付近にドアミラーがあると仮定して、その境界点ｂｆから後方に所定距離ｄ１離れた位置をドアミラー起点ＤＭ-ｓとして設定し、そのドアミラー起点ＤＭ-ｓからドアミラーの厚みを加味した所定距離ｄ２離れた位置をドアミラー終点ＤＭ-ｅとして設定する。制御点Ｌｄ１〜Ｌｄ３は、ドアミラー位置設定部４５と同様に設定するドアミラー起点ＤＭ-ｓとドアミラー終点ＤＭ-ｅを基に設定されるもので、制御点Ｌｄ１は、ドアミラー起点ＤＭ-ｓから側面ブラシ４・４の傾斜角を考慮して前方に所定距離ｄ３離れた位置に設定され、制御点Ｌｄ３は、ドアミラー終点ＤＭ-ｅから側面ブラシ４・４の傾斜角を考慮して後方に所定距離ｄ４離れた位置に設定され、制御点Ｌｄ２は、制御点Ｌｄ１と制御点Ｌｄ３の中間地点に設定される。
【００２４】
洗車する自動車が１ＢＯＸタイプのワゴン車のように、境界点ｂｆが抽出できない車両の場合は、図７（ｂ）に示すように、車形検出装置８で検出した車形データから、車体前端ｃｓとルーフ前端ｒｓを抽出し、その中点ｃｐ付近にドアミラーがあると仮定して、ドアミラーの起点ＤＭ-ｓとドアミラー終点ＤＭ-ｅを設定する。制御点Ｌｄ１’は、ドアミラー起点ＤＭ-ｓから側面ブラシ４・４の傾斜角を考慮して前方に所定距離ｄ３離れた位置に設定され、制御点Ｌｄ３’は、ドアミラー終点ＤＭ-ｅから側面ブラシ４・４の傾斜角を考慮して後方に所定距離ｄ４離れた位置に設定される。尚、１ＢＯＸ車のように、車高が高い車両に関しては制御点Ｌｄ２’は設定されない。
【００２５】
ブラシ工程では、車形検出工程で読み取った車体輪郭、基準点に合わせてブラシ３・４・４を制御し車体面をブラッシングするものであるが、ここでは本発明の特徴的構成となる、自動車のドアミラー周辺を側面ブラシ４・４でブラッシングする際の動作について説明する。
【００２６】
図８は洗車機本体１の往行時に、側面ブラシで普通車のドアミラー周辺をブラッシングする動作を示している。
側面ブラシ４・４が制御点Ｌｄ１に達するまでは、側面ブラシ４・４を前後方向で垂直姿勢にするとともに、左右方向で上側が自動車Ａに近づいたハの字姿勢になるようにして車体側面をブラッシングする（図８ａ）。側面ブラシ４・４が制御点Ｌｄ１に達すると、洗車機本体１の走行を一旦停止し、側面ブラシ４・４を下側が洗車機本体１の前方に所定量θ３傾いた姿勢（後傾姿勢）にし、ドアミラー前下部の車体をブラッシングする（図８ｂ）。
【００２７】
次に、側面ブラシ４・４を前傾姿勢から下側が洗車機本体１の後方に所定量θ３傾いた姿勢（前傾姿勢）にし（図８ｃ）、このまま制御点Ｌｄ１から制御点Ｌｄ２まで本体１を走行させて、側面ブラシ４・４によりドアミラー前上部の車体をブラッシングする（図８ｄ）。
【００２８】
側面ブラシ４・４が制御点Ｌｄ２に達すると、洗車機本体１の走行を一旦停止し、側面ブラシ４・４をドアミラーに接触しない位置まで開いてドアミラーを回避する。回避位置に開いた側面ブラシ４・４を今度は下側が洗車機本体１の前方に所定量θ３傾いた姿勢（後傾姿勢）にし、この後傾姿勢のまま閉じて車体に接触させ、ドアミラー後上部の車体をブラッシングする（図８ｅ）。
【００２９】
その後、側面ブラシ４・４を後傾姿勢のまま洗車機本体１を走行させ（図８ｆ）、側面ブラシ４・４が制御点Ｌｄ３に達すると、洗車機本体１の走行を一旦停止し、今度は側面ブラシ４・４を下側が洗車機本体１の後方に所定量θ３傾いた姿勢（前傾姿勢）にし、ドアミラー後下部の車体をブラッシングする（図８ｇ）。最後に、側面ブラシ４・４を垂直姿勢に戻し、垂直姿勢のまま車体後端までブラッシングを行う。（図８ｈ）
【００３０】
図９は洗車機本体１の往行時に、側面ブラシでワゴン車のドアミラー周辺をブラッシングする動作を示している。
普通車と比べて車高が高く、ドアミラーの取付高さが高くなるので、側面ブラシ４・４を所定量θ３傾けたときにドアミラーに接触するのを防ぐため、普通車のときに説明した制御点Ｌｄ２（制御点Ｌｄ１と制御点Ｌｄ３の中間点）は設定せず、ドアミラー始点ＤＭ-ｓとドアミラー終点ＤＭ-ｅを用いて側面ブラシ４・４を制御するようにしている。
【００３１】
まず、側面ブラシ４・４が制御点Ｌｄ１’に達するまでは、側面ブラシ４・４を前後方向で垂直姿勢にするとともに、左右方向で上側が自動車Ａに近づいたハの字姿勢になるようにして車体側面をブラッシングする（図９ａ）。側面ブラシ４・４が制御点Ｌｄ１’に達すると、洗車機本体１の走行を一旦停止し、側面ブラシ４・４を下側が洗車機本体１の前方に所定量θ３傾いた姿勢（後傾姿勢）にし、ドアミラー前下部の車体をブラッシングする（図９ｂ）。
【００３２】
次に、側面ブラシ４・４を前傾姿勢から下側が洗車機本体１の後方に所定量θ３傾いた姿勢（前傾姿勢）にし（図９ｃ）、このまま制御点Ｌｄ１’からドアミラー始点ＤＭ-ｓまで本体１を走行させて、側面ブラシ４・４によりドアミラー前上部の車体をブラッシングする（図９ｄ）。
【００３３】
側面ブラシ４・４がドアミラー始点ＤＭ-ｓに達すると、洗車機本体１の走行を一旦停止し、側面ブラシ４・４をドアミラーに接触しない位置まで開いてドアミラーを回避する。回避位置に開いた側面ブラシ４・４を今度は下側が洗車機本体１の前方に所定量θ３傾いた姿勢（後傾姿勢）にし、この後傾姿勢のまま閉じて車体に接触させ、ドアミラー後上部の車体をブラッシングする（図９ｅ）。
【００３４】
その後、側面ブラシ４・４を後傾姿勢のまま洗車機本体１を走行させ（図９ｆ）、側面ブラシ４・４が制御点Ｌｄ３’に達すると、洗車機本体１の走行を一旦停止し、今度は側面ブラシ４・４を下側が洗車機本体１の後方に所定量θ３傾いた姿勢（前傾姿勢）にし、ドアミラー後下部の車体をブラッシングする（図９ｇ）。最後に、側面ブラシ４・４を垂直姿勢に戻し、垂直姿勢のまま車体後端までブラッシングを行う。（図９ｈ）
【００３５】
このように、ドアミラーの周辺に対して側面ブラシを前後方向に傾斜させてブラッシングするようにしたので、普通車を洗浄した場合、図１０（ａ）に示すような洗浄範囲が得られ、１ＢＯＸタイプのワゴン車を洗浄した場合、図１０（ｂ）に示すような洗浄範囲が得られ、従来では洗い残しになっていたドアミラー上部及び下部の車体に対して可能な限りブラッシングすることができる。尚、ブラシ工程を洗車機本体１の復行持で行う場合には、上記往行時と逆の手順、すなわち図８に示す（ｈ）〜（ａ）の順に実行されるものである。
【００３６】
本発明は以上の構成されるものであるが、ドアミラーを検出する手段としては様々な方法が考えられる。例えば、本出願人が特願平８−１２８４２９号で提案している自動車側面の輪郭を検出する、反射光電スイッチ・ＣＣＤカメラ・ＰＳＤ距離センサいずれかの手段を本発明に採用すると、ドアミラーをより確実に検出することが可能となる。
【産業上の利用可能性】
【００３７】
特に、車体の形状に沿って側面ブラシを移動させ、洗い残しの少ない洗車機を提供できる。
【図面の簡単な説明】
【００３８】
【図１】実施例１の洗車機を示す正面説明図である。
【図２】同側面説明図である。
【図３】側面ブラシの平面図である。
【図４】側面ブラシの正面図である。
【図５】側面ブラシの側面図である。
【図６】実施例１の制御系を説明するブロック図である。
【図７】車形検出工程の動作を示す説明図である。
【図８】普通車を洗浄するときの側面ブラシの動作を示す説明図である。
【図９】ワゴン車を洗浄するときの側面ブラシの動作を示す説明図である。
【図１０】ドアミラー周辺の洗浄範囲を示す説明図である。
【図１１】従来のドアミラー周辺の洗浄範囲を示す説明図である。
【符号の説明】
【００３９】
１    洗車機本体
４・４  側面ブラシ
８  車形検出装置
１６  開閉装置
１７  左右揺動装置
１８  前後揺動装置
４０  洗車制御部
４３  車形検出部
４４  基準点設定部
４５  ドアミラー位置設定部
４６  データ記憶部
４７  制御部
【図１】
2006015858.tif 000003
【図２】
2006015858.tif 000004
【図３】
2006015858.tif 000005
【図４】
2006015858.tif 000006
【図５】
2006015858.tif 000007
【図６】
2006015858.tif 000008
【図７】
2006015858.tif 000009
【図８】
2006015858.tif 000010
【図９】
2006015858.tif 000011
【図１０】
2006015858.tif 000012
【図１１】
2006015858.tif 000013